(57)【要約】【課題】液晶表示パネルと観察者の間にあるゴミを液晶表示装置の中で捕獲する。【解決手段】液晶表示パネルと前記液晶表示パネルの上面に一定間隔（隙間）を有して遮光板を配置し、該遮光板の上面上にフロントライトを重ねる液晶表示装置であって、前記液晶表示パネルの上面と遮光板の間及び／または遮光板とフロントライトで形成される外周縁間に粘着材を配置した液晶表示装置とする。【選択図】図１
2009053343.tif 000002
【特許請求の範囲】
【請求項１】
液晶表示パネルと前記液晶表示パネルの上面に一定間隔（隙間）を有して遮光板を配置する液晶表示装置であって、前記遮光板と前記液晶表示パネル及びその周辺部材で形成される空間に粘着材を配置したことを特徴とする液晶表示装置。
【請求項２】
液晶表示パネルと前記液晶表示パネルの上面に一定間隔（隙間）を有して遮光板を配置し、該遮光板の上面上にフロントライトを重ねる液晶表示装置であって、前記遮光板と前記液晶表示パネル及びその周辺部材で形成される空間及び／または遮光板とフロントライトで形成される空間に粘着材を配置したことを特徴とする液晶表示装置。
【請求項３】
液晶表示パネルと前記液晶表示パネルの上面に一定間隔（隙間）を有して遮光板を配置する液晶表示装置であって、前記遮光板を粘着材で固着したことを特徴とする請求項１記載の液晶表示装置。
【請求項４】
液晶表示パネルと前記液晶表示パネルの上面に一定間隔（隙間）を有して遮光板を配置し、該遮光板の上面上にフロントライトを重ねる液晶表示装置であって、前記遮光板とフロントライトで形成される外周縁間に粘着材を配置したことを特徴とする請求項２記載の液晶表示装置。
【請求項５】
液晶表示パネルと前記液晶表示パネルの上面に一定間隔（隙間）を有して遮光板を配置し、該遮光板の上面上にカバーガラスを重ねる液晶表示装置であって、前記液晶表示パネルの上面と遮光板の間及び／または遮光板とカバーガラス外周縁間に粘着材を配置したことを特徴とする液晶表示装置。
【請求項６】
前記粘着材が、接着剤または両面接着フィルムであることを特徴とする請求項１〜５のいずれかに記載の液晶表示装置。
【請求項７】
液晶表示パネル面の上面上に形成される空間部を構成する部材表面に帯電防止処理を施したことを特徴とする請求項１〜６のいずれかに記載の液晶表示装置。
【発明の詳細な説明】
【技術分野】
【０００１】
本発明は液晶表示装置に関するものである。
【背景技術】
【０００２】
図２は従来技術による反射型液晶表示装置の一例を示すもので（Ａ）は正面断面図、（Ｂ）は上面図である。図３は従来技術による反射型液晶表示装置の他の実施形態を示すもので分解斜視図である。図２の構成と異なるのは偏光板６と拡散板７の間にレンズシート１１を配置した点であり、半透過反射シート１０、遮光板１２、樹脂１４等は図示していない。符号は図２と共通である。回路基板１の上面に液晶表示パネル２と一端部に発光素子３が搭載されたＦＰＣ１３の他端部が固定されている。さらに液晶表示パネル２の周囲を囲む基台４が固定されている。回路基板１と液晶表示パネル２はワイヤ（不図示）により接続され、液晶表示パネル２と基台４との間は樹脂１４が充填されている。回路基板１にＦＰＣ１３が固定された部分の上部に位置する基台４の部分は凹部４ｄになっている。また、基台４には３つのガイドピン４ａ、４ｂ、４ｃが備えられており、ガイドピンにより筐体５が位置決め固定されている。筐体５の一側面には凹部５ａが形成されており、筐体５の内側からみて、偏光板６、拡散板７、導光体８、反射板（反射枠）９が組み込まれている。導光体８は回路基板１に立てるように組み込まれ（本例では基台の上部であるが回路基板１に直接立てる構造もとりうる）ている。液晶表示パネル２の上部に位置する筐体５の部分は空洞になっており、その上部は開放されている。図１（Ａ）で示したように筐体５を正面から見ると筐体５の上面は左下がりの斜面に形成されており、斜面部５ｂには空洞部を覆うように半透過反射シート１０が組み込まれている。半透過反射シート１０は反射シート１０ａと偏光板１０ｂの積層板である。導光体８には発光素子３を収納する凹部８ａが形成されている。
【０００３】
図３では導光体８と反射板（反射枠）９は一体化してあるが、その他の構成部品は筐体５に個々に組立てられる構造としてある。拡散板６、レンズシート１１、拡散板７は導光体８と一緒に反射枠９の中に組み込み一体化しておいてもよい。また、導光体８内に光を拡散する微粒子等を分散混入しておくと拡散板を省略することができる。ＦＰＣ１３の先端に搭載されている発光素子３はＦＰＣ１３を折り曲げることにより図２（Ａ）に示すように導光体８に形成された凹部８ａに収納される。
【０００４】
液晶表示パネル２の上部には液晶表示部に対応した開口部１２ａを有する遮光板１２が配置されているが、遮光板１２は基台４の上部に形成された段部４ｅで位置決めされている。遮光板１２の上面は筐体５の下面で押さえつける構造である。
【特許文献１】特開２００１−１４２０６８号公報
【発明の開示】
【発明が解決しようとする課題】
【０００５】
図２に示す液晶表示装置の場合、液晶表示パネル２と遮蔽板１２の間の空間Ａと遮蔽板１２とフロントライトの間の空間Ｂが存在するが、液晶表示装置の組み立て工程において液晶表示パネル面と観察者の間（空間Ａ及び空間Ｂ）にゴミが入り込むと液晶表示パネルで表示される画像が遮蔽され、画質が低下する。組み立て完成時（検査時）には液晶表示パネル面と観察者の間にないゴミで、後で液晶表示パネル面と観察者の間に出てくるゴミもあり、分解して除去しなければならない場合もある。
【課題を解決するための手段】
【０００６】
液晶表示パネルと前記液晶表示パネルの上面に一定間隔（隙間）を有して遮光板を配置する液晶表示装置であって、前記遮光板と前記液晶表示パネル及びその周辺部材で形成される空間に粘着材を配置した液晶表示装置とする。
【０００７】
液晶表示パネルと前記液晶表示パネルの上面に一定間隔（隙間）を有して遮光板を配置する液晶表示装置であって、前記遮光板を粘着材で固着した液晶表示装置とする。
【０００８】
液晶表示パネルと前記液晶表示パネルの前面に一定間隔（隙間）を有して遮光板を配置し、該遮光板の上面上にフロントライトを重ねる液晶表示装置であって、前記遮光板と前記液晶表示パネル及びその周辺部材で形成される空間及び／または遮光板とフロントライトで形成される空間に粘着材を配置した液晶表示装置とする。
【０００９】
液晶表示パネルと前記液晶表示パネルの上面に一定間隔（隙間）を有して遮光板を配置し、該遮光板の上面上にフロントライトを重ねる液晶表示装置であって、前記遮光板とフロントライトで形成される外周縁間に粘着材を配置した液晶表示装置とする。
【００１０】
液晶表示パネルと前記液晶表示パネルの上面に一定間隔（隙間）を有して遮光板を配置し、該遮光板の上面上にカバーガラスを重ねる液晶表示装置であって、前記液晶表示パネルの上面と遮光板の間及び／または遮光板とカバーガラス外周縁間に粘着材を配置した液晶表示装置とする。
【００１１】
前記粘着材が、接着剤または両面接着フィルムである液晶表示装置とする。
【００１２】
液晶表示パネル面の上面上に形成される空間部を構成する部材表面に帯電防止処理を施した液晶表示装置とする。
【発明の効果】
【００１３】
液晶表示パネル面の上面上に形成される空間部に粘着材が露出している部分を形成したので、液晶表示パネル面と観察者の間の空間部にあるゴミが次第に捕獲され、ゴミによる画質低下が改善される。
【００１４】
液晶表示パネル面の上面上に形成される空間部を構成する部材表面に帯電防止処理を施したので、各部材にゴミが付着せず、浮遊しているゴミが粘着材に捕獲されるのが促進される。
【発明を実施するための最良の形態】
【００１５】
液晶表示パネルと前記液晶表示パネルの上面に一定間隔（隙間）を有して遮光板を配置し、該遮光板の上面上にフロントライトを重ねる液晶表示装置であって、前記液晶表示パネルの上面と遮光板の間及び／または遮光板とフロントライトで形成される外周縁間に粘着材を配置した液晶表示装置とする。
【実施例１】
【００１６】
図１は本発明による反射型液晶表示装置の一例を示すもので（Ａ）は正面断面図、（Ｂ）は（Ａ）の筐体５を除去した部分拡大図である。
【００１７】
液晶表示パネル２の上部には液晶表示部に対応した開口部１２ａを有する遮光板１２が配置されているが、遮光板１２は基台４の上部に形成された段部４ｅで位置決めされている。段部４ｅ上には粘着材である両面接着フィルム（粘着材）２０が配置されている。図から判るように、液晶表示パネル２の上面と遮光板１２の下面による隙間は相対的な位置で決まるが、両面接着フィルム２０の厚さで決まる。両面接着フィルム２０は基台４の段部４ｅと遮光板１２を接着しているが、両面接着フィルム２０の側面は空間Ａに面しており、空間Ａに浮遊するゴミを捕獲できる。本例では両面接着フィルム２０が粘着材を兼ねているが、粘着材は、例えば樹脂１４の上面に薄く塗布されていてもよいし、遮光板４の下面に塗布されていてもよく、塗布位置は空間Ａの中で適宜選択できる。
【００１８】
筐体５の下面と遮光板１２の上面の外周縁部には両面接着フィルム２１が配置されていて、両者を接着しているが、両面接着フィルム２０と同様な機能を果たしている。粘着材の配置に関しても、空間Ｂの中で適宜選択できることも同様である。両面接着フィルム２０、２１は組み立ての隙間を塞ぎ、外部からゴミが侵入するのを防止している。
【実施例２】
【００１９】
実施例１ではフロントライト型の反射型液晶表示装置を例にしたが、バックライト型の透過型液晶表示装置であっても、同様に実施できる。液晶表示パネルと前記液晶表示パネルの上面に一定間隔（隙間）を有して遮光板を配置し、該遮光板の上面上にカバーガラスを重ねる液晶表示装置であって、前記液晶表示パネルの上面と遮光板の間及び／または遮光板とカバーガラス外周縁間に粘着材を配置した液晶表示装置とするのであるが、実施例１を応用して適用することは容易である。
【図面の簡単な説明】
【００２０】
【図１】本発明による反射型液晶表示装置の一例を示すもので（Ａ）は正面断面図、（Ｂ）は（Ａ）の筐体５を除去した部分拡大図
【図２】従来技術による反射型液晶表示装置の一例を示すもので（Ａ）は正面断面図、（Ｂ）は上面図
【図３】従来技術による反射型液晶表示装置の他の実施形態を示すもので分解斜視図
【符号の説明】
【００２１】
１    回路基板
２    液晶表示パネル
３    発光素子
４    基台
４ａ  ガイドピン
４ｂ  ガイドピン
４ｃ  ガイドピン
４ｄ  凹部
４ｅ  段部
５    筐体
５ａ  凹部
６    偏光板
７    拡散板
８    導光体
８ａ  凹部
９    反射板（反射枠）
１０    半透過反射シート
１０ａ  反射シート
１０ｂ  偏光板
１１    レンズシート
１２    遮光板
１２ａ  開口部
１３    ＦＰＣ
１４    樹脂
２０    両面接着フィルム
２１    両面接着フィルム
【図１】
2009053343.tif 000003
【図２】
2009053343.tif 000004
【図３】
2009053343.tif 000005